(57)【特許請求の範囲】
【請求項１】
適宜間隔で地面に立設された支柱に取付けられた複数の塀パネルが連結部材を介して横方向に連結され、前記連結部材は、縦長状の基板の両側部に嵌合部を介してパネル取付部材が回動可能に接続されると共に、該パネル取付部材に形成された横断面コ字状のカバー部が塀パネルの側端部を覆って取付けられ、前記嵌合部は、基板の両側端部に設けられた鉤状の嵌合片と、パネル取付部材に設けられた嵌合突起とを備え、前記嵌合突起は、パネル取付部材から突出された突出部と、該突出部の先端から横断面半円形状に形成された円弧部と、該円弧部の先端から折り返された折返し部とを備えて形成されると共に、前記嵌合片は、その内周面が嵌合突起の外側面に沿った円弧状となされたガイド部と、このガイド部の先端がパネル取付部材の方向に向けて曲折されると共にその先端がさらに円弧状に折り返されて爪部が設けられた受け部とを備えた中空状に形成され、前記嵌合片の内部に嵌合突起が前記嵌合片との間で回動可能に嵌合され、更にカバー部は塀パネルに対して上下方向にスライド可能に取付けられると共に、カバー部の下方向のスライドは、パネル取付部材の上端部に設けられた端部材により阻止されていることを特徴とする塀。
【発明の詳細な説明】
【技術分野】
【０００１】
本発明は、塀パネルの側端部が任意の角度で連結された塀に関するものである。
【背景技術】
【０００２】
一般に、敷地境界部や隣地境界部に沿って設置される塀において、特にコーナー部の塀パネルどうしを連結する方法としては様々なものが提案されている。例えば、上下の継ぎ手と、左右一対の遮蔽部材とからなり、前記上下の継ぎ手は、左右に配置された継ぎ手部材を回転自在に連結すると共に、隣接するフェンスに連結され、遮蔽部材は、左右に配置された遮蔽板を回動自在に嵌合されると共に遮蔽板の上下両端部が遮蔽板と同一側に配置された継ぎ手部材に嵌合されて固定され、更に上下の継ぎ手と遮蔽部材とは連結金具で接続されているフェンスの連結装置が提案されている（例えば、特許文献１参照。）。
【０００３】
このフェンスの連結装置は、左右の継ぎ手部材と連結金具とを回転自在に連結し、その連結金具に予め回動自在に嵌合した一対の遮蔽部材の一方を連結するだけで連結装置を少ない簡単な作業により組立てることができ、また、連結装置は左右のフェンスを任意の角度をもって連結するとともに、フェンス間の隙間を遮蔽することができるものである。
【特許文献１】実開平７−４０９３５号公報
【発明の開示】
【発明が解決しようとする課題】
【０００４】
しかしながら、前記のフェンスの連結装置には次のような問題点があった。すなわち、フェンスのコーナー部において、施工誤差等によりフェンスの間の間隔が広がる場合、フェンスどうしの連結は可能であるが、その際、遮蔽板とフェンスの間に隙間が生じる恐れがあり、その点で問題があった。又、このフェンスの連結装置は、一方にフェンスを取付け、その後に他方のフェンスを取付けるような場合には利用可能であるが、コーナー部において２個のフェンスが先に設置され、後から連結装置を取付ける場合には利用困難であった。
【０００５】
本発明は、前記の如き問題点を解消し、塀パネルを連結する際にその連結作業が容易であり、且つ塀パネル設置後においても連結作業が可能となされる塀を提供せんとするものである。
【課題を解決するための手段】
【０００６】
上記目的を達成するために、本発明は次のような構成としている。
すなわちこの発明に係る塀は、適宜間隔で地面に立設された支柱に取付けられた複数の塀パネルが連結部材を介して横方向に連結され、前記連結部材は、縦長状の基板の両側部に嵌合部を介してパネル取付部材が回動可能に接続されると共に、該パネル取付部材に形成された横断面コ字状のカバー部が塀パネルの側端部を覆って取付けられ、前記嵌合部は、基板の両側端部に設けられた鉤状の嵌合片と、パネル取付部材に設けられた嵌合突起とを備え、前記嵌合突起は、パネル取付部材から突出された突出部と、該突出部の先端から横断面半円形状に形成された円弧部と、該円弧部の先端から折り返された折返し部とを備えて形成されると共に、前記嵌合片は、その内周面が嵌合突起の外側面に沿った円弧状となされたガイド部と、このガイド部の先端がパネル取付部材の方向に向けて曲折されると共にその先端がさらに円弧状に折り返されて爪部が設けられた受け部とを備えた中空状に形成され、前記嵌合片の内部に嵌合突起が前記嵌合片との間で回動可能に嵌合され、更にカバー部は塀パネルに対して上下方向にスライド可能に取付けられると共に、カバー部の下方向のスライドは、パネル取付部材の上端部に設けられた端部材により阻止されていることを特徴とするものである。
【発明の効果】
【０００７】
本発明によれば、連結部材のパネル取付部材は、連結部材は、縦長状の基板の両側部に嵌合部を介してパネル取付部材が回動可能に接続されると共に、該パネル取付部材に形成された横断面コ字状のカバー部が塀パネルの側端部を覆って取付けられ、該カバー部は塀パネルに対して上下方向にスライド可能に取付けられているので、塀パネル設置後においても、塀パネルの上方から連結部材をスライドさせて、塀パネルの側端部をカバー部の内部に挿入し、連結部材を塀パネルに取付けることが可能となる。又、カバー部の下方向のスライドは、パネル取付部材の上端部に設けられた端部材により阻止されるようになされているので、連結部材を塀パネルに仮置きすることが可能となり塀パネルの連結作業が容易になされる。
【発明を実施するための最良の形態】
【０００８】
次に、本発明を実施するための最良の形態について図面を参照し、具体的に説明する。
【０００９】
すなわち、図１は本発明に係る塀の実施の一形態を示す正面図、図２は図１のＡ−Ａ断面を示す横断面拡大図、図３は図１の変形を示す横断面拡大図、図４は連結部材の説明図、図５は図４の主要部の拡大説明図、図６は本発明に係る塀の他の実施形態を示す横断面拡大図である。
【００１０】
図において、１は適宜間隔で地面に立設された支柱、２は支柱２に取付けられた塀パネル、３は塀パネル２を横方向に連結する連結部材であり、本発明に係る塀Ｆは、支柱１、塀パネル２、及び連結部材３とから主に構成され、２個の塀パネル２が連結部材３を介して連結されると共に、前記２個の塀パネル２は連結部材３を軸として水平方向の設置角度を変更可能となされたものである。
【００１１】
図１は本発明に係る塀Ｆの実施の一形態を示す正面図であり、図２は図１のＡ−Ａ断面を示す横断面図である。支柱１は、適宜間隔で地面に立設され、支柱１の前面側に塀パネル２が取付けられている。
【００１２】
塀パネル２は、パネル本体２１と、パネル本体２１の外周部に沿って設けられた枠体４とを備えている。パネル本体２１は、塀パネル２の前後に間隔をあけて設けられ、この２個の塀パネル２の間の間隔に吸音材が配置されている。枠体４は、パネル本体２１の上下に相対向して設けられた２個の横枠４１と、パネル本体の左右に相対向して設けられた２個の縦枠４２とからなる。尚、塀パネル２は、本形態に限定されるものではなく、前記吸音材が配置されていないものでもよく、パネル本体２１が１個のみからなるものでもよく、３個以上の複数から形成されるものでもよい。また、塀パネル２は上下方向に１段のみからなる形態でもよく、３段以上の複数段からなる形態でもよい。
【００１３】
図２において、連結部材３は、塀パネル２を横方向に連結するものであり、基板３１と基板の両端部に嵌合部５を介してパネル取付部材３２が回動可能に設けられている。パネル取付部材３２には、２個のカバー片３３１が塀パネル２側に向けて間隔をあけて突設され横断面コ字状のカバー部３３が形成され、この２個のカバー片３３１の間に塀パネル２の側端部が挿入可能となされ、カバー部３３が塀パネル２の側端部を覆って取付けられている。そして、カバー部３３の背面側から塀パネル２に向けて取付ビス６が螺入され、カバー部３３が塀パネル２にビス止めされている。
【００１４】
図３は、図１の変形を示す横断面図であり、図２の連結部材３において、基板３１に対して両側のパネル取付部材３２を回動させた場合を示すものである。連結部材３において、基板３１に対してパネル取付部材３２が回動可能となされているので、連結部材３の両側の塀パネル２どうしの設置角度が適宜調節可能となされる。本形態は、塀のコーナー部の出隅に対応した形態であるが、連結部材３を表裏反転させて塀パネル２に取付けることにより、コーナー部の入隅に対しても塀パネル２どうしの設置角度が調整可能となされる。
【００１５】
次に、連結部材３に関して、更に詳しく説明する。図４は連結部材３の説明図であり、（ａ）は平面図、（ｂ）は背面図の上下部分拡大図、（ｃ）は（ｂ）のＢ−Ｂ断面の横断面拡大図である。まず、基板３１は縦長状の平板上に形成され、裏面側には上下方向に亘ってビスホール３１１が設けられ、基板３１の両側端部には嵌合部を構成する嵌合片３１２が設けられている。次に、パネル取付部材３２は、基板３１側に嵌合突起３２１が突設され、前記基板３１の嵌合片３１２と互いに嵌合して嵌合部５を形成し、基板３１に大してパネル取付部材３２が回動可能となされている。そしてパネル取付部材３２において、嵌合突起３２１と反対側には、上下方向に亘ってビスホール３３２が設けられている。
【００１６】
（ａ）、（ｂ）に示すように、基板３１の上下端部には押さえ板３１３が配置され、押さえ板３１３の外側から基板３１のビスホール３１１に向けて取付ビス７が螺入され、押さえ板３１３が基板３１の上下端部を覆って取付けられている。これにより、嵌合部５を構成する嵌合片３１２、嵌合突起３２１が他方に対して上下方向にはずれない構成となされる。又、パネル取付部材３２の上端部には端部材３３３が設けられ、端部材３３３の外側からパネル取付部材３２のビスホール３３２に向けて取付ビス７が螺入され、端部材３３３がパネル取付部材３２の上端部を覆って取付けられている。
【００１７】
連結部材３は、本形態では、アルミニウム合金を押出成型して形成された長尺体を適宜長さに切断して用いたものであり、これにより、塀Ｆの設置現場で塀パネル２の上下方向の長さに合わせて連結部材を切断し、その後、押さえ板３１３及び端部材３３３を取付けることが可能となる。連結部材３の材質は、鋼材等の他の金属を用いてもよく、ＡＢＳ樹脂、ＡＡＳ樹脂、アクリル樹脂、ポリカーボネート板等の合成樹脂を用いてもよく、連結部材３として必要な強度や剛性を有するものであれば、本形態に限られるものではない。
【００１８】
次に、連結部材３の嵌合部５について、更に詳しく説明する。図５に示すように、パネル取付部材３２には嵌合突起３２１が形成され、嵌合突起３２１は、パネル取付部材３２から略垂直に突出した突出部３２２と、突出部３２２の先端から横断面半円形状に形成された円弧部３２３と、円弧部３２３の先端から折り返された折返し部３２４とからなる。次に、基板３１の両側端部には鉤状に延設された嵌合片３１２がそれぞれ設けられ、この鉤状部の内部に、パネル取付部材３２の嵌合突起３２１が嵌合されている。
【００１９】
次に、基板３１に対するパネル取付部材３２の回動について詳しく説明する。基板３１の鉤状の嵌合片３１２の内側面は、嵌合突起３２１の外側面に沿った円弧状のガイド部３１４となされるとともに、このガイド部３１４の先端から中心側に向けて曲折された受け部３１５が設けられている。これにより、図５の（ａ）、（ｂ）に示すように、嵌合突起３２１が嵌合片３１２の内側面に沿って奥に移動する際に、嵌合突起３２１の折返し部３２４の外側面が第１受け部３１５の内側面に接し、奥への移動が阻止される。つまり、両塀パネル２が横方向に直線状に配置された状態となる。
【００２０】
又、受け部３１５の先端は更に円弧状に折り返された爪部３１６が設けられ、爪部３１６は嵌合突起３２１の円弧部３２３と折返し部３２４の間の隙間３２５に配置されると共に、円弧部３２３の内側面に沿って移動可能となされている。そして、図５の（ａ）、（ｃ）に示すように、嵌合突起３２１が嵌合片３１２の内側面に沿って嵌合が外れる方向に移動する際に、爪部３１６は連動して前記隙間３２５の奥に向けて移動し、最奥部まで移動しても、嵌合片３１２と嵌合突起３２１との嵌合が外れないようになされている。これにより、基板３１に対してパネル取付部材３２は回動可能となされ、しかもその嵌合状態は連結部材３の横方向には容易に外れないようになされている。
【００２１】
次に、塀パネル２に対する連結部材３の取付方法について詳しく説明する。第１の取付方法は、一方の塀パネル２の側端部に連結部材３の一方のパネル取付部材３２を取付け、他方の塀パネル２の設置角度に合わせて、基板３１に対して他方のパネル取付部材３２を適宜回動させて、他方の塀パネル２を取付けるものである。第２の取付方法は、２個の塀パネル２設置角度に合わせて予め設置し、その後、これら塀パネル２の上方に連結部材３を配置し、両パネル取付部材３２のカバー部３３の内側に両塀パネル２の側端部が配置されるように上方から下方に向けてスライドさせる。そして、塀パネル２の側端部の上端が、パネル取付部材３２の上端部の端部材３３３の下面に接すると、下方向のスライドが阻止され、塀パネル２に対して連結部材３が仮置き可能となされるので、その後、取付ビス６によりカバー部３３を塀パネル２に固着することにより、連結部材３が塀パネル２に取付けられた状態となる。
【００２２】
前記取付方法は、この２つの取付方法に限定されるものではないが、特に第２の取付方法においては、塀パネル２を設置する際に寸法誤差や設置誤差により、両塀パネル２の間隔が広がった場合でも、連結部材３のパネル取付部材３２において、両カバー部３３のカバー片３３１の横幅に応じて、両塀パネル２の誤差を吸収することができる。又、前記のように連結部材３が仮置き可能となされているので、誤差の調整作業が容易である。
【００２３】
図６は、本発明に係る連結部材３の他の実施形態を示す横断面拡大図である。本実施形態に連結部材３は、図５に示された連結部材３と比べて、嵌合部５の形態が異なるものであり、その他の点については、図２〜３に示された嵌合突起３２１と同様な形態である。
【００２４】
すなわち、図６の（ａ）に示された連結部材３は、嵌合部５において、パネル取付部材３２の嵌合突起３２１は、パネル取付部材３２が横断面円弧状に切り欠かれたガイド部が設けられ、このガイド部の一端から外側にむけて受け部が突設され、この受け部の先端が内側に折返えされて爪部が設けられている。又、基板３１の嵌合片３１２は、基板３１の両端部から円弧状に突出した円弧部が設けられ、円弧部の先端が内側に折返されて折返し部が形成されている。つまり、図５に示された連結部材３に比べると、嵌合片３１２と嵌合突起３２１との配置が逆になったものである。更に、図４の嵌合片３１２の爪部３１６に比べると、本形態に係る嵌合突起３２１の爪部は、やや短く、且つやや外向きに設けられている。これにより、図６に示すように、基板３１に対してパネル取付部材３２は塀の前面側及び背面側の両側に回動可能となされる。又、図６に示すように、２個の塀パネル２が並行位置に配置されていても連結が可能となる。
【産業上の利用可能性】
【００２５】
本発明によれば、連結部材のパネル取付部材は、塀パネルの側端部を覆う横断面コ字状のカバー部を有し塀パネルに対して上下方向にスライド可能となされているので、例えば、塀のコーナー部において、一方の塀パネルのみを取替える場合に、連結部材の取り外しが容易であるため、取替え作業も容易となり、好適に利用できる。
【図面の簡単な説明】
【００２６】
【図１】本発明に係る塀の実施の一形態を示す正面図である。
【図２】図１のＡ−Ａ断面を示す横断面拡大図である。
【図３】図１の変形を示す横断面拡大図である。
【図４】連結部材の説明図である。
【図５】図４の主要部の拡大説明図である。
【図６】本発明に係る塀の他の実施形態を示す横断面拡大図である。
【符号の説明】
【００２７】
１    支柱
２    塀パネル
３    連結部材
３１  基板
３１２  嵌合片
３２  パネル取付部材
３２１  嵌合突起
３３  カバー部
３３３  端部材
５    嵌合部
【図１】
0005183106.tif 000002
【図２】
0005183106.tif 000003
【図３】
0005183106.tif 000004
【図４】
0005183106.tif 000005
【図５】
0005183106.tif 000006
【図６】
0005183106.tif 000007